【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
地面を掘り下げて設けられ上部が開口している掘穴と、該掘穴内に配設され複数の樹脂製の骨格ブロックを組み立てて構成されている空間保持骨格ブロック構造体と、前記掘穴の上部の開口を覆う被覆層とを有する雨水の貯水施設に使用する前記骨格ブロックの組立構造であって、
該骨格ブロックは、平板状の基台と、該基台の一方の面に一体に立設され先端に支持体側嵌合部を有する支持体と、該支持体が立設された側の前記基台面に設けられ前記支持体側嵌合部が嵌合可能な基台側嵌合部とを有し、かつ一対の前記骨格ブロックを前記支持体が立設された基台面同士を対向させたとき、一方の骨格ブロックの前記支持体側嵌合部が他方の骨格ブロックの前記基台側嵌合部に嵌合することを特徴とする雨水の貯水施設用骨格ブロックの組立構造。
【請求項２】
前記支持体は裁頭円錐状の形状であることを特徴とする請求項１記載の雨水の貯水施設用骨格ブロックの組立構造。
【請求項３】
前記骨格ブロックの支持体側嵌合部と基台側嵌合部は、いずれか一方が嵌合突起であり、他方が前記嵌合突起に嵌合する嵌合穴であることを特徴とする請求項１または請求項２記載の雨水の貯水施設用骨格ブロックの組立構造。
【請求項４】
前記骨格ブロックはその基台外周部に外周嵌合部と外周嵌合受け部とを有していて、前記骨格ブロック同士を水平方向縦横に隣接配置させたとき、一方の骨格ブロックの前記外周嵌合部が隣接する他方の骨格ブロックの前記外周嵌合受け部にそれぞれ嵌合できることを特徴とする請求項１〜請求項３いずれかに記載の雨水の貯水施設用骨格ブロックの組立構造。
【請求項５】
４個の前記骨格ブロックを前記支持体が同一方向を向くように互いに隣接させて平面状に並べ、前記骨格ブロックと同一形状の骨格ブロックを、前記４個の骨格ブロックの隣接する４隅に等分に跨るように、かつ、前記４個の骨格ブロックの基台面に対向させて、対向させた骨格ブロック同士の支持体側嵌合部が対向する相手方骨格ブロックの基台側嵌合部にそれぞれ嵌合することを特徴とする請求項１から請求項４のいずれかに記載の雨水の貯水施設用骨格ブロックの組立構造。
【請求項６】
請求項１〜請求項５いずれかに記載の骨格ブロックの組立構造を水平方向及び垂直方向に複数組み付けて構成される雨水の貯水施設。
【請求項７】
平板状の基台と、該基台の一方の面に一体に立設され先端に支持体側嵌合部を有する支持体と、該支持体が立設された側の前記基台面に設けられ前記支持体側嵌合部が嵌合可能な基台側嵌合部とを有することを特徴とする雨水の貯水施設用骨格ブロック。
【請求項８】
請求項１記載の雨水の貯水施設用骨格ブロックの組立構造の構築方法であって、
該骨格ブロックは、平板状の基台と、該基台の一方の面に一体に立設され先端に支持体側嵌合部を有する支持体と、該支持体が立設された側の前記基台面に設けられ前記支持体側嵌合部が嵌合可能な基台側嵌合部とを有し、
一対の前記骨格ブロックを、一方の骨格ブロックの前記支持体が立設された基台面と他方の骨格ブロックを前記支持体が立設された基台面とを対向させるように設置し、一方の骨格ブロックの前記支持体側嵌合部を他方の骨格ブロックの前記基台側嵌合部に嵌合させるとともに、他方の骨格ブロックの前記支持体側嵌合部を一方の骨格ブロックの前記基台側嵌合部に嵌合させることを特徴とする骨格ブロックの組立構造の構築方法。
【手続補正２】
【補正対象書類名】明細書
【補正対象項目名】発明の名称
【補正方法】変更
【補正の内容】
【発明の名称】貯水施設用骨格ブロックの組立構造、貯水施設、貯水施設用骨格ブロックおよび骨格ブロックの組立構造の構築方法
【手続補正３】
【補正対象書類名】明細書
【補正対象項目名】０００８
【補正方法】変更
【補正の内容】
【０００８】
前記目的を達成すべく本発明の請求項１記載の貯水施設用骨格ブロックの組立構造は、地面を掘り下げて設けられ上部が開口している掘穴と、該掘穴内に配設され複数の樹脂製の骨格ブロックを組み立てて構成されている空間保持骨格ブロック構造体と、前記掘穴の上部の開口を覆う被覆層とを有する雨水の貯水施設に使用する前記骨格ブロックの組立構造であって、該骨格ブロックは、平板状の基台と、該基台の一方の面に一体に立設され先端に支持体側嵌合部を有する支持体と、該支持体が立設された側の前記基台面に設けられ前記支持体側嵌合部が嵌合可能な基台側嵌合部とを有し、かつ一対の前記骨格ブロックを前記支持体が立設された基台面同士を対向させたとき、一方の骨格ブロックの前記支持体側嵌合部が他方の骨格ブロックの前記基台側嵌合部に嵌合することを特徴とするものである。
また請求項２記載の貯水施設用骨格ブロックの組立構造は、前記支持体は裁頭円錐状の形状であることを特徴とするものである。
【手続補正４】
【補正対象書類名】明細書
【補正対象項目名】０００９
【補正方法】変更
【補正の内容】
【０００９】
このようにしてなる貯水施設用骨格ブロックの組立構造によれば、骨格ブロックは、平板状の基台と、該基台の一方の面に立設され先端に支持体側嵌合部を有する支持体と、該支持体が立設された前記基台面側に設けられ前記支持体側嵌合部が嵌合可能な基台側嵌合部とを有する非容器型の形状をしているため、骨格ブロック同士を上下縦横に組み付けて構成した空間保持骨格ブロック構造体には隙間が多い。そのため、任意の箇所から空間保持骨格ブロック構造体の奥の部分まで比較的容易に見通すことができる。すなわち目視による土砂の堆積状況確認が容易にできる。
【手続補正５】
【補正対象書類名】明細書
【補正対象項目名】００１０
【補正方法】変更
【補正の内容】
【００１０】
また容器型のものと異なり、複数個の骨格ブロック同士を上下縦横に組み付けて空間保持骨格ブロック構造体を構築するときに、例えば支持体の部分の外径が細いため、これを抱いたり、掴んだりし易い。また、基台の部分の厚さも比較的薄いため、容易に掴むこともできる。そのため、状況に応じた運搬方法を選択することもできる。このように骨格ブロックの運搬が容易で、空間保持骨格ブロック構造体の組み立て作業が容易になる。
また、上下に組み付ける骨格ブロックとして異なる形状のものを使用することも可能であるが、同一形状の骨格ブロックを使用する方がより効率的である。そこで請求項１記載の骨格ブロックの組立構造は、同一形状の骨格ブロックを、例えば、２個用意し、この一対の骨格ブロック同士を、支持体が立設された面同士を対向させたとき、一方の骨格ブロックの支持体の支持体側嵌合部が他方の骨格ブロックの基台側嵌合部に嵌合せしめることができるようになっている。そのため、基本的には１種類の骨格ブロックで空間保持骨格ブロック構造体を形成できるので、骨格ブロックの組み立て作業が容易になる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、例えば平板状の基台の、長さｌの２本の対角線上において、基台の中心から等距離（ｌ／４）の位置に支持体が、そして他方の対角線上に基台側嵌合部が、各々２個ずつ配置される骨格ブロックを用いれば、骨格ブロック４個を前記支持体が上を向くように、しかも各骨格ブロックの中心を結ぶ直線同士が骨格ブロックの外形、例えば、骨格ブロックの外形が正方形や長方形であれば、正方形または長方形を成すように同一方向を向けて互いに隣接させて平面状に並べ、この状態の前記各４個の骨格ブロックの隣接する４隅に等分に跨るように前記骨格ブロックと同一形状の骨格ブロックを前記４個の骨格ブロックに対向させたとき、対向させた骨格ブロック同士の支持体側嵌合部が対向する相手方骨格ブロックの基台側嵌合部にそれぞれ嵌合せしめることができる場合もある。
そのため、１種類の骨格ブロックを用いるだけで、下層に敷き詰めた骨格ブロック上に上層の骨格ブロックを千鳥配置で、すなわち隣接する４個の骨格ブロックに略等分に跨るように組み付けることが可能である。その結果、下層の骨格ブロック同士を、その隣接する４隅部でお互いを連結しながら、その上に新たに骨格ブロックの層を容易に形成することも可能である。
このように下層の骨格ブロック同士を、別途連結部材等で連結することなく、上層に配置せしめる骨格ブロック自身で連結させながら上層を形成できる。そのため別途連結部材を用意する必要がなく、その分この骨格ブロックを用いた空間保持骨格ブロック構造体の組み立て作業が容易になる。
【手続補正９】
【補正対象書類名】明細書
【補正対象項目名】００１４
【補正方法】変更
【補正の内容】
【００１４】
また請求項３記載の貯水施設用骨格ブロックの組立構造は、請求項１または請求項２記載の貯水施設用骨格ブロックの組立構造において、前記骨格ブロックの支持体側嵌合部と基台側嵌合部は、いずれか一方が嵌合突起であり、他方が前記嵌合突起に嵌合する嵌合穴であることを特徴とするものである。
このように、対向して上下に位置する骨格ブロック同士の連結は、一方の骨格ブロックに形成されている嵌合突起と、他方の側の骨格ブロックの基台に形成した受け部、例えば嵌合穴とで行なうことができる。このように構造が簡単で、形成が容易な嵌合突起や嵌合受け部、例えば嵌合穴で骨格ブロックの組み付けができるので、空間保持骨格ブロック構造体の構築を容易に行うことができる。
【手続補正１０】
【補正対象書類名】明細書
【補正対象項目名】００１５
【補正方法】変更
【補正の内容】
【００１５】
さらにまた請求項４記載の貯水施設用骨格ブロックの組立構造は、請求項１〜請求項３いずれかに記載の貯水施設用骨格ブロックの組立構造において、前記骨格ブロックはその基台外周部に外周嵌合部と外周嵌合受け部とを有していて、前記骨格ブロック同士を水平方向縦横に隣接配置させたとき、一方の骨格ブロックの前記外周嵌合部が隣接する他方の骨格ブロックの前記外周嵌合受け部にそれぞれ嵌合できることを特徴とする。
また請求項５記載の貯水施設用骨格ブロックの組立構造は、請求項１〜請求項４いずれかに記載の貯水施設用骨格ブロックの組立構造において、４個の前記骨格ブロックを前記支持体が同一方向を向くように互いに隣接させて平面状に並べ、前記骨格ブロックと同一形状の骨格ブロックを、前記４個の骨格ブロックの隣接する４隅に等分に跨るように、かつ、前記４個の骨格ブロックの基台面に対向させて、対向させた骨格ブロック同士の支持体側嵌合部が対向する相手方骨格ブロックの基台側嵌合部にそれぞれ嵌合することを特徴とする。
このようにしてなる骨格ブロックによれば、骨格ブロックを水平方向に組み付け一体化することができる。その結果、組み上がった空間保持骨格ブロック構造体の機械的強度を向上させることができる。
ところで前述した請求項５記載の骨格ブロックの組立構造のように、上下に骨格ブロックを、いわゆる千鳥配置で組み付けても、空間保持骨格ブロック構造体全体の機械的強度を向上させることができるが、このように水平方向に隣接する骨格ブロック同士を、隣接する基台外周部に設けた基台側嵌合部と、これが嵌合する外周嵌合受け部とで連結すれば、より一層機械的強度に優れた空間保持骨格ブロック構造体を構築することができる。
【手続補正１１】
【補正対象書類名】明細書
【補正対象項目名】００１６
【補正方法】変更
【補正の内容】
【００１６】
また、前記骨格ブロックの外周嵌合部と外周嵌合受け部は、いずれか一方が嵌合突起であり、他方が前記嵌合突起に嵌合する嵌合穴である。
このように水平方向に隣接する骨格ブロック同士、具体的には基台同士の連結を、一方の骨格ブロックの基台外周部に設けた嵌合突起と、他方の骨格ブロックの基台外周部に設けた外周嵌合受け部、具体的には嵌合穴、という極めて簡単な構造で行うことができる。
【手続補正１２】
【補正対象書類名】明細書
【補正対象項目名】００１７
【補正方法】変更
【補正の内容】
【００１７】
また、骨格ブロックの基台の外形は、形状が簡単な、正方形、長方形等で形成できるため、運搬や組み立て作業を容易に行うことができる。また、正方形や長方形の場合には、トラック等による運搬効率を高くすることもでき、特に好ましい。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
また、前記骨格ブロックの基台の一方の対角線上に、前記基台の中心を挟んで、かつ中心から等距離に支持体側嵌合部と基台側嵌合部とを各々１個ずつ有し、他方の対角線上に前記基台の中心を挟んで、かつ前記一方の対角線上に設けられている支持体側嵌合部及び基台側嵌合部と線対称になるように支持体側嵌合部及び基台側嵌合部を有していることを特徴とする。
このようにしてなる骨格ブロックは、構造が極めて簡単で、しかも形状も小さくできる。そのため取り扱いが容易で、運搬作業や組み立て作業が極めて容易になる。
【手続補正１７】
【補正対象書類名】明細書
【補正対象項目名】００２２
【補正方法】変更
【補正の内容】
【００２２】
加えて、前記骨格ブロックは樹脂製の骨格ブロックであることを特徴とする。
このようにしてなる樹脂製の骨格ブロックによれば、骨格ブロックを射出成形等で製造できるため、製造が容易で、それ故、低価格の骨格ブロックを得ることができる。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
また請求項６記載の貯水施設は、請求項１〜請求項５いずれかに記載の骨格ブロックの組立構造を水平方向及び垂直方向に複数組み付けて構成されるものである。
このようにしてなる貯水施設によれば、骨格ブロックを組み付けて構成した空間保持骨格ブロック構造体の定期的な土砂堆積量確認検査等に際して、空間保持骨格ブロック構造体内部の見通しをよくすることができる。それ故、構造体内部の目視検査等を容易に行うことができる。
また請求項７記載の骨格ブロックは、請求項１に記載の雨水の貯水施設用骨格ブロックの組立構造に用いる骨格ブロックであって、該骨格ブロックは、平板状の基台と、該基台の一方の面に一体に立設され先端に支持体側嵌合部を有する支持体と、該支持体が立設された側の前記基台面に設けられ前記支持体側嵌合部が嵌合可能な基台側嵌合部とを有することを特徴とするものである。
また、請求項８記載の骨格ブロックの組立構造の構築方法は、請求項１記載の雨水の貯水施設用骨格ブロックの組立構造の構築方法であって、該骨格ブロックは、平板状の基台と、該基台の一方の面に一体に立設され先端に支持体側嵌合部を有する支持体と、該支持体が立設された側の前記基台面に設けられ前記支持体側嵌合部が嵌合可能な基台側嵌合部とを有し、一対の前記骨格ブロックを、一方の骨格ブロックの前記支持体が立設された基台面と他方の骨格ブロックを前記支持体が立設された基台面とを対向させるように設置し、一方の骨格ブロックの前記支持体側嵌合部を他方の骨格ブロックの前記基台側嵌合部に嵌合させるとともに、他方の骨格ブロックの前記支持体側嵌合部を一方の骨格ブロックの前記基台側嵌合部に嵌合させることを特徴とするものである。
【手続補正２１】
【補正対象書類名】明細書
【補正対象項目名】００２８
【補正方法】変更
【補正の内容】
【００２８】
図１は雨水等の貯水施設に使用する本発明の骨格ブロックの一実施例を示す斜視図である。図１に示すように、この実施例が示す骨格ブロック４は、平板状で外形が略正方形（以下単に正方形という）の基台４１と、この基台４１上の２本の対角線の一方の対角線上に立設され、先端に支持体側嵌合部４２ａを有する２本の支持体４２と、支持体４２が立設された側と同じ基台面に設けられ、例えば支持体側嵌合部４２ａが嵌合可能な２個の基台側嵌合部４３を他方の対角線上に有している。しかもこの骨格ブロック４を２個用意し、この一対の骨格ブロック４同士を支持体４２が立設された基台面同士を対向させたとき、一方の骨格ブロック４の２本の支持体４２の先端に位置する支持体側嵌合部４２ａが、他方の骨格ブロック４の２個の基台側嵌合部４３にそれぞれ嵌合するようになっている。
因みに、この基台側嵌合部４３としては嵌合穴であることが一般的であるが、支持体側嵌合部４２ａ側を嵌合穴にし、基台側嵌合部４３を嵌合突起にすることもできる。